(57)【要約】      （修正有）【課題】徘徊者用あるいは自己の氏名住所等身元情報を明示できない乳幼児等の意志疎通不通者用の身元を確認するための身元確認表示手段を有する衣服を提供する。【解決手段】着用者の住所、氏名、連絡電話番号等の身元情報を着用衣服のブランドマークや商標のように文字や記号、図形等によるシンボルマーク１状に標識化し、着用者の着衣の襟元や胸元に直接印刷する、あるいは刺繍や繊維の織込み等によって標識を表示したタグ等を衣服に固着する。【選択図】図４
0003198078.tif 000002
【実用新案登録請求の範囲】
【請求項１】
着用者の身元を確認できる情報を記載した表示手段が、文字、図形によって標識化されたシンボルマークの形状であり、該シンボルマークが表裏を問わず衣服表面に直接印刷記載若しくは刺繍され、あるいは該シンボルマークを印刷、刺繍、織込等の手段により表示した札を縫製、接着その他の方法を持って衣服本体に固着した事によってなる事を特徴とする衣服。
【考案の詳細な説明】
【技術分野】
【０００１】本考案は、徘徊者用あるいは自己の氏名住所を明示できない幼児等の意志疎通不通者用の身元を確認するための身元確認マークに関するものである。
【背景技術】
【０００２】高齢化社会の進行と共に認知症、痴呆症を発症する高齢者が増大し、在宅や施設で介護を受けているにも拘わらず近年の交通機関発達と共に自己の居住地から遠く離れた場所で発見される徘徊者、身元不明者が増加している。一方、近年乳幼児の保育受託施設の発達に伴い個人の衣服や持物を識別する必要性が増えてきた。【０００３】従来の身元確認情報の表示方法は、洋服の内側に住所氏名を刺繍したり情報を記載した布片を縫い付ける或は携帯電話や名刺を持たせる叉は下着に住所氏名を油性ペンで記載する等様々な手段が講じられている。例えば油性ペンで下着等に住所氏名を記載する場合、細字は潰れて判読不能になるために大きな文字あるいは仮名で記載せざる得ない。しかしながら痴呆症の徘徊者の中には所謂迷子札のような身元記載札等を本人が嫌がり、札を取外してしまう或は大きな文字或は仮名文字で身元が記載された衣服を着るのを拒むあるいは脱いでしまう事例も数多く、更に油性ペンによる記載文字は何度か洗濯するうちに文字が薄れ判読になる場合もあり、発見された時には徘徊者個人を同定できずに何十年間も他府県で保護されていた事例も発生している。一方近年では乳幼児誘拐事件の発生や個人情報の厳格化等に伴い乳幼児に迷子札を付ける事を両親が躊躇う傾向がある等という難点があった。【０００４】また従来の技術として。裏面に住所、氏名等身元情報を記載した光反射シートを衣服や履物に取り付ける事例や衣服の裾部等に設けたポケット部内部に身元情報を記載した樹脂シートを固着する等の技術が知られている。しかしながらこれらの事例は何れも、徘徊者本人が表示手段を除去するあるいは着用を拒否する等の対策が不十分であり、また徘徊者の衣服一着一着に表示手段を取り付けるには多大の労力と時間を要する等という難点があった。
【先行技術文献】
【特許文献】
【０００５】
【特許文献１】特許公開２００２−０８２６１９号公報
【特許文献２】登録実用新案第３０２６５６６号公報
【考案の概要】
【考案が解決しようとする課題】
【０００６】本考案の目的はこのような従来の身元確認情報の表示方法が有する難点を解消するもので、痴呆症の徘徊者や乳幼児等を保護した時に、迅速に身元が確認できる身元情報が記載された衣服を提供することにある。
【課題を解決するための手段】
【０００７】（請求項１に記載の考案の特徴）
請求項１に記載の考案は、着用者の住所、氏名、連絡電話番号等の身元情報を、従来の迷子札や身元情報シートのように欄中に機械的に記載する、或は油性ペンで衣服に直接大きく記載する等の方法によらず、身元情報をあたかも衣服のブランドマークであるかのように外国語や数字、図形を応用した商標のごとくにシンボルマーク化を図り、該シンボルマークを例えばシャツの内側頚元或は左胸元正面等に写真製版技術を用いて製版した画像を印刷する、あるいは該シンボルマークを印刷、刺繍もしくは織込んだタグを着用者の衣服に縫製等固着する等、直接筆記する以外の方法で着用者の身元情報を衣服に表示することにより、課題を解決している。例えば一例として衣服に直接身元情報を印刷する場合、上記シンボルマークの作成はパソコンの汎用ソフトで制作し、透明フィルムに出力印刷したものを焼付けた紫外線硬化形製版板を刷版として容易に且つ安価に印刷することができる。樹脂系のインキで印刷した場合、印刷インキは衣服の繊維間に浸透硬化して年余にわたり洗濯を繰り返しても色落ちせず微細な文字であっても明瞭に判読できる。
【考案の効果】
【０００８】上述のように本考案の身元確認情報表示手段付き衣服は、着用者の住所氏名連絡電話番号等の身元情報を平文で直接記載する事なく、あたかも衣服の商標やブランドマークと類似した形態に抽象化したシンボルマークとして作成し、該シンボルマークを印刷、刺繍、織込み等の工業的複製手段より表示する事に特徴がある。従って着用者の身元情報を示す該シンボルマークは、例えば製版手段を経て衣服表面に直接印刷する、あるいは印刷されたタグを衣服に固着する若しくは工業刺繍や織込みの技術により衣服に表示されることになる。このような工業的手段を介する事により着用者本人さらに事情を知らない周囲の第三者は、あたかも上記シンボルマークが衣服の商標やブランドマークと誤認して特別な注目をすることがなくなる。捜査機関、消防署、医療機関、福祉介護等の公的機関に予め本考案の情報の周知を図れば、徘徊者や乳幼児の身元確認は極めて容易になる。
【実施例】
【０００９】以下、添付図面に従って一実施例を説明する。［図１］はＴシャツ等の下着の内側の襟元に黒色ウレタン系インキで直接印刷した状態を示す正面図である。この場合、着用者は下着がブランド品であるブランドマークであると認識しやすく着用するのに抵抗感を持たない。また徘徊者の場合でも下着まで脱衣する事例は少ないので身元確認が必要になった場合、確実に確認可能である。【００１０】［図２］は［図１］で示した実施例に更に下着正面外側左胸元に上記シンボルマークを印刷により付加した場合である。【００１１】［図３］はＴシャツ等の下着の内側の襟元に、黒色ウレタン系インキで直接印刷した、あるいは織込むことによって上記シンボルマークを表示したタグを縫製等の手段により固着した状態を示す正面図である。この場合も［図１］と同様に、着用者は下着がブランド品であるブランドマークを示すタグであると認識しやすく着用するのに抵抗感を持たない。【００１２】［図４］は［図３］で示した実施例に更に下着正面外側左胸元に上記シンボルマークを印刷により付加した場合である。【００１３】［図５］はパンツ等の下着の内側の腰元に、黒色ウレタン系インキで直接印刷した、あるいは織込むことによって上記シンボルマークを表示したタグを縫製等の手段により固着した状態を示す正面図である。【００１４】［図６］は長袖の上着の内側の襟元に、黒色ウレタン系インキで直接印刷した、あるいは織込むことによって上記シンボルマークを表示したタグを縫製等の手段により固着し，更に下着正面外側左胸元に上記シンボルマークを印刷により、あるいは工業刺繍等により付加した場合である。【００１５】［図７］はジーンズ等ズボンの腰回り外側に、黒色ウレタン系インキで直接印刷した、あるいは織込む若しくは型押しや焼き印によって上記シンボルマークを表示したタグを縫製等の手段により固着し，更に尻ポケット部外側に上記シンボルマークを印刷により、あるいは工業刺繍等の手段により付加した場合の背面図である。【００１６】［図８］はズボンの腰回り内側に、黒色ウレタン系インキで直接印刷した、あるいは織込む若しくは工業用刺繍によって上記シンボルマークを表示した場合の正面図である。
【図面の簡単な説明】
【００１７】
【図１】本考案の一実施例として襟元にマークを印刷した状態のシャツを示す正面図である。
【図２】襟元と胸元にマ−ク印刷したシャツの状態を示す正面図である。
【図３】襟元にマークを印刷したタグを固着したシャツの状態を示す正面図である。
【図４】襟元にマークを印刷したタグを固着し、胸元にマーク印刷したシャツの状態を示す正面図である。
【図５】内側にマークを印刷したタグを固着したパンツの状態を示す正面図である。
【図６】襟元にマークを印刷したタグを固着し、胸元にマーク印刷した上着の状態を示す正面図である。
【図７】腰元にマークを印刷したタグを固着し、ポケット表面にマーク印刷したズボンの状態を示す背面図である。
【図８】内側にマークを印刷したタグを固着したズボンの状態を示す正面図である。
【図９】［図１］から［図８］に至る図面の中の身元情報を表示したマークの一実施例を示す正面図である。
【図１０】［図３］から［図８］に至る図面の中の身元情報を表示したマークを印刷したタグを固着した状態を示す一実施例を示す正面図である。
【符号の説明】
【００１８】１．身元情報を標識化したマーク
２．身元情報を標識化したマークを記載したタグ
３．固着部分
４．肌着シャツ
５．肌着パンツ
６．上着
７．ズボン
【図１】
0003198078.tif 000003
【図２】
0003198078.tif 000004
【図３】
0003198078.tif 000005
【図４】
0003198078.tif 000006
【図５】
0003198078.tif 000007
【図６】
0003198078.tif 000008
【図７】
0003198078.tif 000009
【図８】
0003198078.tif 000010
【図９】
0003198078.tif 000011
【図１０】
0003198078.tif 000012
【手続補正書】
【提出日】平成27年1月5日(2015.1.5)
【手続補正１】
【補正対象書類名】実用新案登録請求の範囲
【補正対象項目名】全文
【補正方法】変更
【補正の内容】
【実用新案登録請求の範囲】
【請求項１】
着用者の身元を確認できる情報を記載した表示手段が、文字、図形によって標識化されたシンボルマークの形状であり、該シンボルマークが表裏を問わず衣服表面に直接印刷記載若しくは刺繍され、あるいは該シンボルマークを印刷、刺繍、織込等の手段により表示した札を縫製、接着等の方法を持って衣服本体に固着した事によってなる事を特徴とする衣服。
【手続補正２】
【補正対象書類名】図面
【補正対象項目名】図９
【補正方法】変更
【補正の内容】
【図９】
0003198078.tif 000013
【手続補正３】
【補正対象書類名】図面
【補正対象項目名】図１０
【補正方法】変更
【補正の内容】
【図１０】
0003198078.tif 000014
【手続補正書】
【提出日】平成27年3月10日(2015.3.10)
【手続補正１】
【補正対象書類名】実用新案登録請求の範囲
【補正対象項目名】全文
【補正方法】変更
【補正の内容】
【実用新案登録請求の範囲】
【請求項１】
着用者の身元を確認できる情報を記載した表示手段が、文字、図形によって標識化されたシンボルマークの形状であり、該シンボルマークが表裏を問わず衣服表面に直接印刷記載若しくは刺繍され、あるいは該シンボルマークを印刷、刺繍、織込の手段により表示した札を縫製、接着の方法を持って衣服本体に固着した事によってなる事を特徴とする衣服。